(57)【要約】【課題】電線の差込口の径を設計変更することなく、ハウジングが並べられる方向において寸法の小型化を図ることが可能な端子台を提供する。【解決手段】端子台１は、第１直線方向Ｘに沿って並べられるハウジング１０Ａ，１０Ｂと、ハウジング１０Ａ，１０Ｂ内に設けられる端子部材３０と、第２直線方向Ｙにおいて電線を付勢し当該電線を端子部材３０に押さえ付ける付勢部材４０とを備える。ハウジング１０Ａ，１０Ｂの各々は、電線を差し込むことが可能な差込口１１を形成する幅広部１０ａと、第１直線方向Ｘにおいて幅広部１０ａよりも小さい寸法を有した狭窄部１０ｂとを備える。ハウジング１０Ａを構成する狭窄部１０ｂが当該ハウジング１０Ａに隣り合った他のハウジング１０Ｂに当接することで、互いに隣接するハウジング１０Ａ，１０Ｂに設けられた差込口１１が、第１直線方向Ｘおよび第２直線方向Ｙにおいて間隔を空けて設けられる。【選択図】図４
2018190676.tif 000002
【特許請求の範囲】
【請求項１】
所定の第１直線方向に沿って並べられる複数のハウジングと、前記ハウジング内に設けられる端子部材と、を備え、前記ハウジング内に挿入される電線を前記端子部材に接続する端子台であって、
前記ハウジング内に設けられ、前記第１直線方向に垂直な第２直線方向において前記電線を付勢し、当該電線を前記端子部材に押さえ付ける付勢部材を備え、
前記ハウジングの各々は、前記第１直線方向に直交する方向から前記電線を差し込むことが可能な差込口を形成する幅広部と、前記第１直線方向において前記幅広部よりも小さい寸法を有した狭窄部とを備え、
前記ハウジングを構成する前記狭窄部が当該ハウジングに隣り合った他の前記ハウジングに当接することで、互いに隣接する前記ハウジングに設けられた前記差込口が、前記第１直線方向および前記第２直線方向において間隔を空けて設けられる
ことを特徴とする端子台。
【請求項２】
前記付勢部材は、前記狭窄部の内部に設けられる基端部と、前記幅広部の内部に設けられて前記電線を前記端子部材に押さえ付ける先端部とを有する板ばねであって、
前記第１直線方向における前記付勢部材の先端部の寸法が、前記第１直線方向における前記付勢部材の基端部の寸法よりも大きい
ことを特徴とする請求項１に記載の端子台。
【請求項３】
前記第１直線方向における前記狭窄部の寸法が、前記第１直線方向における前記幅広部の寸法の半分である
ことを特徴とする請求項１または２に記載の端子台。
【請求項４】
前記ハウジングを構成する前記狭窄部が、当該ハウジングに隣り合った他の前記ハウジングを構成する前記幅広部に当接するとともに、前記ハウジングを構成する前記幅広部が、当該ハウジングに隣り合った他の前記ハウジングを構成する前記狭窄部に当接する
ことを特徴とする請求項１〜３のいずれか一項に記載の端子台。
【請求項５】
前記第２直線方向における前記狭窄部の寸法が、前記第２直線方向における前記幅広部の寸法に等しい
ことを特徴とする請求項４に記載の端子台。
【請求項６】
前記第１直線方向に沿って連続して並べられる３つの前記ハウジングを、第１ハウジング、第２ハウジング、および、第３ハウジングとしたとき、
前記第１ハウジングを構成する前記幅広部と、前記第３ハウジングを構成する前記幅広部とが当接するとともに、前記第２ハウジングを構成する前記狭窄部が、前記第１ハウジングおよび前記第３ハウジングを構成する前記狭窄部に挟まれて当接する
ことを特徴とする請求項１〜５のいずれか一項に記載の端子台。
【請求項７】
所定の第１直線方向に沿って並べられる複数のハウジングと、
前記ハウジング内に設けられ、前記ハウジング内に挿入される複数の電線が１本ずつ接続される複数の端子部材と、
前記ハウジング内に設けられ、前記第１直線方向に垂直な第２直線方向において複数の前記電線を１本ずつ付勢し、複数の前記電線を異なる前記端子部材に押さえ付ける複数の付勢部材と、を備え、
前記ハウジングの各々は、前記第１直線方向において隣り合うとともに隔壁により区切られた第１収納部および第２収納部を有し、
前記第１収納部および前記第２収納部の各々は、前記第１直線方向に直交する方向から前記電線を差し込むことが可能な差込口を形成する幅広部と、前記第１直線方向において前記幅広部の内部空間よりも小さい寸法の内部空間を有した狭窄部とを備え、
前記第１収納部を構成する前記幅広部が、前記第２収納部を構成する前記狭窄部と隣り合うとともに、前記第１収納部を構成する前記狭窄部が、前記第２収納部を構成する前記幅広部と隣り合うことで、複数の前記差込口が、前記第１直線方向および前記第２直線方向において間隔を空けて設けられる
ことを特徴とする端子台。
【請求項８】
前記付勢部材の各々は、前記狭窄部の内部に設けられる基端部と、前記幅広部の内部に設けられて前記電線を前記端子部材に押さえ付ける先端部とを有する板ばねであって、
前記第１直線方向において、前記板ばねの先端部の寸法が、当該板ばねの基端部の寸法に比べて大きい
ことを特徴とする請求項７に記載の端子台。
【発明の詳細な説明】
【技術分野】
【０００１】
本発明は、回路基板上の配線に電線を接続するための端子台に関する。
【背景技術】
【０００２】
一般的に、回路基板上に形成された配線に電線を電気的に接続するための端子台として、ねじを用いずに（いわゆるスクリューレスで）結線作業を行うことが可能な端子台が知られている（例えば特許文献１参照）。
【０００３】
図１０を参照して、従来の端子台１０１について説明する。図１０は、端子台１０１の平面図である。
端子台１０１は、所定の第１直線方向Ｘに沿って並べられた複数のハウジング１１０と、隣接するハウジング１１０のうち末端に位置するハウジング１１０に設けられたエンドプレート１２０と、ハウジング１１０内に設けられる端子部材（図示略）とを備えている。ハウジング１１０には、第１直線方向Ｘに直交する方向（図面の手前方向）から電線（不図示）を差し込むことが可能な差込口１１１が設けられている。差込口１１１の径Ｒは、直径２ｍｍの電線を差し込むことができるように２．５ｍｍに設計されており、第１直線方向Ｘにおける各差込口１１１の中心間の距離Ｐは、７．５ｍｍに設計されている。各差込口１１１の中心間の距離Ｐは、第１直線方向Ｘにおけるハウジング１１０の寸法と同じである。
【先行技術文献】
【特許文献】
【０００４】
【特許文献１】特開平６−２８３２１９号公報
【発明の概要】
【発明が解決しようとする課題】
【０００５】
ところで、ハウジング１１０を並べる第１直線方向Ｘにおいて、エンドプレート１２０を除く端子台１０１の寸法Ｌｘが大きいため、回路基板上に端子台１０１を搭載するスペースが大きくなるという問題がある。そこで、第１直線方向Ｘにおけるハウジング１１０の寸法を小さくすることで、端子台１０１の寸法Ｌｘの小型化を図ることが考えられる。しかしながら、ハウジング１１０の寸法の小型化に伴って差込口１１１の径Ｒを小さくする設計変更が必要となる場合があり、差込口１１１への電線の差し込みが困難になるおそれがある。
【０００６】
本発明は上記事情に鑑みてなされたものであって、その課題は、電線の差込口の径を設計変更することなく、ハウジングを並べる方向において寸法の小型化を図ることが可能な端子台を提供することにある。
【課題を解決するための手段】
【０００７】
上記課題を解決するために、請求項１に係る端子台は、所定の第１直線方向に沿って並べられる複数のハウジングと、前記ハウジング内に設けられる端子部材と、を備え、前記ハウジング内に挿入される電線を前記端子部材に接続する端子台であって、前記ハウジング内に設けられ、前記第１直線方向に垂直な第２直線方向において前記電線を付勢し、当該電線を前記端子部材に押さえ付ける付勢部材を備え、前記ハウジングの各々は、前記第１直線方向に直交する方向から前記電線を差し込むことが可能な差込口を形成する幅広部と、前記第１直線方向において前記幅広部よりも小さい寸法を有した狭窄部とを備え、前記ハウジングを構成する前記狭窄部が当該ハウジングに隣り合った他の前記ハウジングに当接することで、互いに隣接する前記ハウジングに設けられた前記差込口が、前記第１直線方向および前記第２直線方向において間隔を空けて設けられることを特徴とする。
【０００８】
また、請求項２に係る端子台は、請求項１に記載の端子台において、前記付勢部材は、前記狭窄部の内部に設けられる基端部と、前記幅広部の内部に設けられて前記電線を前記端子部材に押さえ付ける先端部とを有する板ばねであって、前記第１直線方向における前記付勢部材の先端部の寸法が、前記第１直線方向における前記付勢部材の基端部の寸法よりも大きいことを特徴とする。
【０００９】
また、請求項３に係る端子台は、請求項１または２に記載の端子台において、前記第１直線方向における前記狭窄部の寸法が、前記第１直線方向における前記幅広部の寸法の半分であることを特徴とする。
【００１０】
また、請求項４に係る端子台は、請求項１〜３のいずれか一項に記載の端子台において、前記ハウジングを構成する前記狭窄部が、当該ハウジングに隣り合った他の前記ハウジングを構成する前記幅広部に当接するとともに、前記ハウジングを構成する前記幅広部が、当該ハウジングに隣り合った他の前記ハウジングを構成する前記狭窄部に当接することを特徴とする。
【００１１】
また、請求項５に係る端子台は、請求項４に記載の端子台において、前記第２直線方向における前記狭窄部の寸法が、前記第２直線方向における前記幅広部の寸法に等しいことを特徴とする。
【００１２】
また、請求項６に係る端子台は、請求項１〜５のいずれか一項に記載の端子台において、前記第１直線方向に沿って連続して並べられる３つの前記ハウジングを、第１ハウジング、第２ハウジング、および、第３ハウジングとしたとき、前記第１ハウジングを構成する前記幅広部と、前記第３ハウジングを構成する前記幅広部とが当接するとともに、前記第２ハウジングを構成する前記狭窄部が、前記第１ハウジングおよび前記第３ハウジングを構成する前記狭窄部に挟まれて当接することを特徴とする。
【００１３】
また、請求項７に係る端子台は、所定の第１直線方向に沿って並べられる複数のハウジングと、前記ハウジング内に設けられ、前記ハウジング内に挿入される複数の電線が１本ずつ接続される複数の端子部材と、前記ハウジング内に設けられ、前記第１直線方向に垂直な第２直線方向において複数の前記電線を１本ずつ付勢し、複数の前記電線を異なる前記端子部材に押さえ付ける複数の付勢部材と、を備え、前記ハウジングの各々は、前記第１直線方向において隣り合うとともに隔壁により区切られた第１収納部および第２収納部を有し、前記第１収納部および前記第２収納部の各々は、前記第１直線方向に直交する方向から前記電線を差し込むことが可能な差込口を形成する幅広部と、前記第１直線方向において前記幅広部の内部空間よりも小さい寸法の内部空間を有した狭窄部とを備え、前記第１収納部を構成する前記幅広部が、前記第２収納部を構成する前記狭窄部と隣り合うとともに、前記第１収納部を構成する前記狭窄部が、前記第２収納部を構成する前記幅広部と隣り合うことで、複数の前記差込口が、前記第１直線方向および前記第２直線方向において間隔を空けて設けられることを特徴とする。
【００１４】
また、請求項８に係る端子台は、請求項７に記載の端子台において、前記付勢部材の各々は、前記狭窄部の内部に設けられる基端部と、前記幅広部の内部に設けられて前記電線を前記端子部材に押さえ付ける先端部とを有する板ばねであって、前記第１直線方向において、前記板ばねの先端部の寸法が、当該板ばねの基端部の寸法に比べて大きいことを特徴とする。
【発明の効果】
【００１５】
本発明によれば、電線の差込口の径を設計変更することなく、ハウジングを並べる方向において寸法の小型化を図ることが可能な端子台を提供することができる。
【図面の簡単な説明】
【００１６】
【図１】本発明の第１実施形態に係る端子台の図であって、（Ａ）は平面図、（Ｂ）は正面図である。
【図２】同実施形態に係る端子台を構成する第１のハウジングを示す図であって、（Ａ）は平面図、（Ｂ）は断面図、（Ｃ）および（Ｄ）は側面図である。
【図３】同実施形態に係る端子台を構成する第２のハウジングを示す図であって、（Ａ）は平面図、（Ｂ）は断面図、（Ｃ）および（Ｄ）は側面図である。
【図４】同実施形態に係る端子台の断面図である。
【図５】本発明の第２実施形態に係る端子台の図であって、（Ａ）は平面図、（Ｂ）は正面図である。
【図６】同実施形態に係る端子台の断面図である。
【図７】本発明の第３実施形態に係る端子台の図であって、（Ａ）は平面図、（Ｂ）は正面図である。
【図８】同実施形態に係る端子台を構成するハウジングを示す図であって、（Ａ）は平面図、（Ｂ）は断面図、（Ｃ）および（Ｄ）は側面図である。
【図９】同実施形態に係る端子台の断面図である。
【図１０】従来の端子台の平面図である。
【発明を実施するための形態】
【００１７】
図面を参照して、本発明の複数の実施形態について説明する。なお、図中において、矢印Ｘは、所定の第１直線方向Ｘ（以下「Ｘ方向」という）を示しており、矢印Ｙは、Ｘ方向に垂直な第２直線方向Ｙ（以下「Ｙ方向」という）を示している。また、矢印Ｚは、Ｘ方向およびＹ方向に直交する第３直線方向Ｚ（以下「Ｚ方向」という）を示している。
【００１８】
（第１実施形態）
図１は、本発明の第１実施形態に係る端子台１を示しており、図１（Ａ）は、Ｚ方向から見た端子台１の外観図であって、図１（Ｂ）は、Ｙ方向から見た端子台１の外観図である。
【００１９】
図１に示すように、端子台１は、電気的絶縁性を有する複数のハウジング１０Ａ，１０Ｂおよびエンドプレート２０Ａを備えている。本実施形態においては、端子台１は、２種のハウジング１０Ａ，１０Ｂを３つずつ備えるとともに、１つのエンドプレート２０Ａを備えている。
【００２０】
第１のハウジング１０Ａと第２のハウジング１０Ｂは、Ｘ方向に沿って並べられている。本実施形態においては、第１のハウジング１０Ａと第２のハウジング１０Ｂとは、交互に並べられてＸ方向において隣接している。ハウジング１０Ａ，１０Ｂの各々には、Ｚ方向から当該ハウジング１０Ａ，１０Ｂの内部に電線（図示略）を差し込むことが可能な差込口１１が形成されている。差込口１１の径Ｒ（最も狭くなる部分の直径）は２．５ｍｍであって、ハウジング１０Ａ，１０Ｂ内に差し込まれる電線（以下、「電線Ａ」という）の直径は２ｍｍ以下とする。
【００２１】
エンドプレート２０Ａは、複数のハウジング１０Ａ，１０Ｂのうち末端に位置する第２のハウジング１０Ｂに設けられている。エンドプレート２０Ａは、第２のハウジング１０Ｂの凸部１４ａ，１４ｂ（図３参照）が嵌められる凹部（図示略）を有している。エンドプレート２０Ａは、第２のハウジング１０Ｂに隣接することで、Ｙ方向から当該ハウジング１０Ｂの内部空間を塞ぐ。
【００２２】
図２および図３を参照して、ハウジング１０Ａ，１０Ｂに係る構成および当該ハウジング１０Ａ，１０Ｂに設けられる部品について説明する。なお、２種のハウジング１０Ａ，１０Ｂは、鏡像対称性を有することで同様の構成を有しており、共通する構成および同様の構成については同じ符号を付している。
【００２３】
図２は、１つの第１のハウジング１０Ａおよび当該ハウジング１０Ａに設けられる部品を示している。また、図３は、１つの第２のハウジング１０Ｂおよび当該ハウジング１０Ｂに設けられる部品を示している。図２（Ｂ）は、図２（Ｄ）のＢ−Ｂ線断面図であって、図３（Ｂ）は、図３（Ｃ）のＣ−Ｃ線断面図である。なお、図２（Ｂ）および図３（Ｂ）において、後述する操作部材５０の図示は省力されている。
【００２４】
図２および図３に示すように、ハウジング１０Ａ，１０Ｂの各々は、差込口１１を形成する幅広部１０ａと、Ｘ方向において差込口１１よりも小さい寸法を有した狭窄部１０ｂとを備えている。Ｘ方向における狭窄部１０ｂの寸法は、Ｘ方向における幅広部１０ａの寸法の半分であって、Ｙ方向における狭窄部１０ｂの寸法は、Ｙ方向における幅広部１０ａの寸法に等しい。具体的には、Ｘ方向における幅広部１０ａの寸法は７．５ｍｍであり、Ｘ方向における狭窄部１０ｂの寸法は３．７５ｍｍである。また、Ｙ方向における幅広部１０ａの寸法および狭窄部１０ｂの寸法は、それぞれ６．５ｍｍである。幅広部１０ａは、Ｘ方向において差込口１１の径Ｒよりも大きな寸法Ｓ１の内部空間を有している。狭窄部１０ｂは、Ｘ方向において幅広部１０ａの内部空間よりも小さい寸法Ｓ２の内部空間を有している。
【００２５】
また、ハウジング１０Ａ，１０Ｂの各々は、Ｘ方向の一方に向けて開口した開口側端部１０ｃと、開口側端部１０ｃに対向する非開口側端部１０ｄとを有している。したがって、幅広部１０ａおよび狭窄部１０ｂの内部空間は、開口側端部１０ｃにおいて開口している。
【００２６】
図２に示すように、第１のハウジング１０ＡのＸ方向における端面には、複数の凸部１２ａ，１２ｂと凹部１３ａ，１３ｂとが設けられている。図２（Ｄ）に示すように、凸部１２ａは、幅広部１０ａの開口側端部１０ｃに設けられ、凸部１２ｂは、狭窄部１０ｂの開口側端部１０ｃに設けられている。また、図２（Ｃ）に示すように、凹部１３ａは、幅広部１０ａの非開口側端部１０ｄに設けられ、凹部１３ｂは、狭窄部１０ｂの非開口側端部１０ｄに設けられている。
【００２７】
図３に示すように、第２のハウジング１０ＢのＸ方向における端面には、複数の凸部１４ａ，１４ｂと凹部１５ａ，１５ｂとが設けられている。図３（Ｃ）に示すように、凸部１４ａは、幅広部１０ａの開口側端部１０ｃに設けられ、凸部１４ｂは、狭窄部１０ｂの開口側端部１０ｃに設けられている。また、図３（Ｄ）に示すように、凹部１５ａは、幅広部１０ａの非開口側端部１０ｄに設けられ、凹部１５ｂは、狭窄部１０ｂの非開口側端部１０ｄに設けられている。
【００２８】
また、図２および図３に示すように、端子台１は、ハウジング１０Ａ，１０Ｂの各々に設けられる部品として、導電性を有する端子部材３０と、弾性を有する付勢部材４０と、電気的絶縁性を有する操作部材５０とを備えている。
【００２９】
端子部材３０は、金属製の導電金具により構成されている。端子部材３０は、ハウジング１０Ａ，１０Ｂの内壁に沿って設けられており、幅広部１０ａの内部に設けられる端子部３１と、狭窄部１０ｂの内部に設けられる副端子部３２と、ハウジング１０Ａ，１０Ｂに突出したピン３３とを有している。端子部３１には、電線Ａが直接接続され、副端子部３２には、付勢部材４０を介して電線Ａが電気的に接続される。ピン３３は、端子台１が搭載される回路基板上の配線（不図示）に接続される。
【００３０】
付勢部材４０は、金属製の板ばねにより構成されている。付勢部材４０は、Ｙ方向において電線Ａを付勢し、電線Ａを端子部材３０の端子部３１に押さえ付ける。付勢部材４０は、狭窄部１０ｂの内部に設けられる基端部４１と、幅広部１０ａの内部に設けられる先端部４２とを有している。基端部４１は、端子部材３０の副端子部３２に接触している。Ｘ方向における先端部４２の寸法Ｌ２は、Ｘ方向における基端部４１の寸法Ｌ１よりも大きく。先端部４２は、電線Ａを端子部材３０の端子部３１に押さえ付ける。こうして、電線Ａは、端子部材３０の端子部３１と付勢部材４０の先端部４２とに挟まれる。
【００３１】
操作部材５０は、合成樹脂製の操作ボタンにより構成されている。操作部材５０は、ハウジング１０Ａ，１０Ｂに対してＺ方向に摺動可能に設けられている。操作部材５０をハウジング１０Ａ，１０Ｂ内に押し込むと、操作部材５０が付勢部材４０を変形させ、端子部材３０の端子部３１と付勢部材４０の先端部４２との間隔が広がる。こうして、端子部３１と先端部４２との間に電線Ａを挟むこと、および挟まれた電線Ａを引き抜くことを容易に行うことが可能となる。
【００３２】
ここで、本実施形態においては、図１および図４に示すように、ハウジング１０Ａ，１０Ｂを構成する狭窄部１０ｂが、そのハウジング１０Ａ，１０Ｂに隣り合った他のハウジング１０Ａ，１０Ｂに当接することで、互いに隣接するハウジング１０Ａ，１０Ｂに設けられた差込口１１が、Ｘ方向およびＹ方向において間隔を空けて設けられることに特徴がある。なお、図４は、図１（Ｂ）のＡ−Ａ線断面図であって、操作部材５０の図示を省略するとともに、ハウジング１０Ａ，１０Ｂ、エンドプレート２０Ａ、および端子部材３０のみを断面で示している。
【００３３】
具体的には、本実施形態においては、第１のハウジング１０Ａを構成する狭窄部１０ｂが、第１のハウジング１０Ａに隣り合った第２のハウジング１０Ｂを構成する幅広部１０ａに当接するとともに、第１のハウジング１０Ａを構成する幅広部１０ａが、第１のハウジング１０Ａに隣り合った第２のハウジング１０Ｂを構成する狭窄部１０ｂに当接する。
【００３４】
以上のようにハウジング１０Ａ，１０Ｂを隣接させるために、本実施形態においては、第１のハウジング１０Ａの凸部１２ａ，１２ｂと、第２のハウジング１０Ｂの凹部１５ｂ，１５ａとが、互いに嵌まり合うように構成され、さらに、第２のハウジング１０Ｂの凸部１４ａ，１４ｂと、第１のハウジング１０Ａの凹部１３ｂ，１３ａとが、互いに嵌まり合うように構成されている。
【００３５】
以上のような構成により、Ｘ方向におけるハウジング１０Ａ，１０Ｂの幅広部１０ａの寸法（７．５ｍｍ）を、従来のハウジング１１０（図１０参照）の寸法と同じとしながら、Ｘ方向における差込口１１の中心間の距離Ｐが小さくなる。具体的には、従来の差込口１１１の中心間の距離Ｐ（図１０参照）が７．５ｍｍであるのに対して、本実施形態の差込口１１の中心間の距離Ｐは約５．６ｍｍ（７．５ｍｍの７５％）である。また、Ｘ方向において、エンドプレート１２０を除いた端子台１０１の寸法Ｌｘ（図１０参照）が４５ｍｍであるのに対して、エンドプレート２０Ａを除いた端子台１の寸法Ｌｘは約３５．６ｍｍである。
【００３６】
本実施形態によれば以下の効果を奏する。
（１）差込口１１がＸ方向およびＹ方向に間隔を空けて設けられるため、差込口１１がＸ方向のみにおいて間隔を空けて設けられる構成（図１０参照）に比べて、差込口１１の径Ｒを小さくすることなく、Ｘ方向における差込口１１の中心間の距離Ｐを縮めて、端子台１の寸法Ｌｘを小さくすることができる。すなわち、電線Ａの差込口１１の径Ｒを設計変更することなく、ハウジング１０Ａ，１０Ｂを並べる方向（Ｘ方向）において端子台１の寸法Ｌｘの小型化を図ることが可能となる。
【００３７】
（２）Ｘ方向における付勢部材４０の先端部４２の寸法Ｌ２が、Ｘ方向における付勢部材４０の基端部４１の寸法Ｌ１よりも大きい。この構成によれば、先端部４２が電線Ａを端子部材３０に確実に押さえ付けることができ、端子部材３０および付勢部材４０により電線Ａを強固に挟むことができる。
【００３８】
（３）Ｘ方向における狭窄部１０ｂの寸法が、Ｘ方向における幅広部１０ａの寸法の半分である。この構成によれば、Ｘ方向において隙間なくハウジング１０Ａ，１０Ｂを並べることが可能である。
【００３９】
（４）ハウジング１０Ａ，１０Ｂを構成する狭窄部１０ｂが、当該ハウジング１０Ａ，１０Ｂに隣り合った他のハウジング１０Ａ，１０Ｂを構成する幅広部１０ａに当接するとともに、ハウジング１０Ａ，１０Ｂを構成する幅広部１０ａが、当該ハウジング１０Ａ，１０Ｂに隣り合った他のハウジング１０Ａ，１０Ｂを構成する狭窄部１０ｂに当接する。この構成によれば、Ｙ方向における端子台１の寸法の増加を抑えながら、Ｘ方向における差込口１１の中心間の距離Ｐを小さくすることができる。
【００４０】
（５）Ｙ方向における狭窄部１０ｂの寸法が、Ｙ方向における幅広部１０ａの寸法に等しい。この構成によれば、上記（４）に記載したようにハウジング１０Ａ，１０Ｂが並べられたとき、Ｙ方向における端子台１の寸法の増加を防ぐことができる。
【００４１】
（第２実施形態）
次に、本発明の第２実施形態について説明する。なお、上記実施形態と共通する構成および同様の構成については、同じ符号を付すとともに、その説明を省略する。
【００４２】
図５は、第２実施形態に係る端子台２を示しており、図５（Ａ）は、Ｚ方向に平行な方向から見た端子台２の外観図であって、図５（Ｂ）は、Ｙ方向に平行な方向から見た端子台２の外観図である。また、図６は、図５（Ｂ）のＤ−Ｄ線断面図であって、操作部材５０の図示を省略するとともに、ハウジング１０Ａ，１０Ｂ、エンドプレート２０Ｂ、および端子部材３０のみを断面で示している。
【００４３】
図５および図６に示すように、端子台２は、２種のハウジング１０Ａ，１０Ｂと、１つのエンドプレート２０Ｂとを備えている。本実施形態においては、凸部１２ａ，１２ｂと凹部１３ａ，１５ｂとが、互いに嵌まり合うように構成され、凸部１４ａ，１４ｂと、凹部１５ａ，１３ｂとが、互いに嵌まり合うように構成されている。そして、第１のハウジング１０Ａと第２のハウジング１０Ｂは、第１のハウジング１０Ａの幅広部１０ａが互いに隣接し、かつ、第２のハウジング１０Ｂの幅広部１０ａが互いに隣接し、かつ、ハウジング１０Ａ，１０Ｂの狭窄部１０ｂが互いに隣接するように並べられている。
【００４４】
具体的には、Ｘ方向に沿って連続して並べられる３つのハウジング１０Ａ，１０Ｂを、第１ハウジング、第２ハウジング、第３ハウジングとしたとき、第１ハウジングを構成する幅広部１０ａと、第３ハウジングを構成する幅広部１０ａとが当接するとともに、第２ハウジングを構成する狭窄部１０ｂが、第１ハウジングおよび第２ハウジングを構成する狭窄部１０ｂに挟まれて当接する。
【００４５】
以上のような構成により、Ｘ方向における差込口１１の中心間の距離Ｐが小さくなる。具体的には、Ｘ方向において、従来の差込口１１１の中心間の距離Ｐ（図１０参照）が７．５ｍｍであるのに対して、本実施形態の差込口１１の中心間の距離Ｐは３．７５ｍｍ（７．５ｍｍの５０％）である。また、Ｘ方向において、エンドプレート１２０を除いた端子台１０１の寸法Ｌｘ（図１０参照）が４５ｍｍであるのに対して、エンドプレート２０Ｂを除いた端子台２の寸法Ｌｘは２６．２５ｍｍである。
【００４６】
本実施形態によれば、上記（１）〜（５）の効果の他に以下の効果を奏する。
（６）Ｘ方向に沿って連続して並べられる３つのハウジング１０Ａ，１０Ｂを、第１ハウジング、第２ハウジング、および、第３ハウジングとしたとき、第１ハウジングを構成する幅広部１０ａと、第３ハウジングを構成する幅広部１０ａとが当接するとともに、第２ハウジングを構成する狭窄部１０ｂが、第１ハウジングおよび第３ハウジングを構成する狭窄部１０ｂに挟まれて当接する。この構成によれば、Ｘ方向における差込口１１の中心間の距離Ｐをより小さくすることができる。
【００４７】
（第３実施形態）
次に、本発明の第３実施形態について説明する。なお、上記実施形態と共通する構成および同様の構成については、同じ符号を付すとともに、その説明を省略する。
【００４８】
図７は、本発明の第３実施形態に係る端子台３を示しており、図７（Ａ）は、Ｚ方向に平行な方向から見た端子台３の外観図であって、図７（Ｂ）は、Ｙ方向に平行な方向から見た端子台３の外観図である。
【００４９】
図７に示すように、端子台３は、電気的絶縁性を有する複数のハウジング６０、エンドプレート２０Ｃ，２０Ｄ、および、連結プレート７０とを備えている。本実施形態においては、端子台３は、１種のハウジング６０を３つ備えるとともに、２つのエンドプレート２０Ｃ，２０Ｄと、２つの連結プレート７０とを備えている。
【００５０】
ハウジング６０は、Ｘ方向に沿って並べられている。本実施形態においては、複数のハウジング６０は連結プレート７０を介してＸ方向に並んでいる。ハウジング６０の各々には、Ｚ方向から当該ハウジング６０の内部に電線（図示略）を差し込むことが可能な差込口６１Ａ，６１Ｂが形成されている。各差込口６１Ａ，６１Ｂの径Ｒは、差込口１１と同様に２．５ｍｍである。
【００５１】
図８を参照して、ハウジング６０に係る構成および当該ハウジング６０に設けられる部品について説明する。図８（Ｂ）の断面図は、第１収納部６０Ａについては図８（Ｃ）のＦ−Ｆ線の断面を示し、第２収納部６０Ｂについては図８（Ｄ）のＧ−Ｇ線の断面を示している。なお、図８（Ｂ）において、操作部材５０Ａ，５０Ｂの図示は省略されている。
【００５２】
図８（Ｂ）に示すように、ハウジング６０は、Ｘ方向において隣り合うとともに隔壁６０Ｃにより区切られた第１収納部６０Ａおよび第２収納部６０Ｂを有している。収納部６０Ａ，６０Ｂの各々は、差込口６１Ａ，６１Ｂを形成する幅広部６０ａと、Ｘ方向において幅広部６０ａの内部空間よりも小さい寸法の内部空間を有した狭窄部６０ｂとを備えている。すなわち、第１収納部６０Ａの幅広部６０ａは、Ｘ方向において差込口６１Ａの径Ｒよりも大きな寸法Ｔ１の内部空間を有し、第１収納部６０Ａの狭窄部６０ｂは、Ｘ方向において第１収納部６０Ａの幅広部６０ａの内部空間よりも小さい寸法Ｔ２の内部空間を有している。また、第２収納部６０Ｂの幅広部６０ａは、Ｘ方向において差込口６１Ｂの径Ｒよりも大きな寸法Ｔ３の内部空間を有し、第２収納部６０Ｂの狭窄部６０ｂは、Ｘ方向において第２収納部６０Ｂの幅広部６０ａの内部空間よりも小さい寸法Ｔ４の内部空間を有している。本実施形態においては、各収納部６０Ａ，６０Ｂの幅広部６０ａの内部空間の寸法Ｔ１，Ｔ３は等しく、各収納部６０Ａ，６０Ｂの狭窄部６０ｂの内部空間の寸法Ｔ２，Ｔ４も等しい。
【００５３】
また、ハウジング６０は、Ｘ方向の一方に向けて開口した第１開口側端部６０ｃと、Ｘ方向における他方に向けて開口した第２開口側端部６０ｄとを有している。第１収納部６０Ａの幅広部１０ａおよび狭窄部１０ｂの内部空間は、第１開口側端部６０ｃにおいて開口し、第２収納部６０Ｂの幅広部１０ａおよび狭窄部１０ｂの内部空間は、第２開口側端部６０ｄにおいて開口している。
【００５４】
また、図８に示すように、第１のハウジング１０ＡのＸ方向における端面には、複数の凸部６２，６３が設けられている。凸部６２は、第１開口側端部６０ｃに設けられ、凸部６３は、第２開口側端部６０ｄに設けられている。凸部６２，６３は、各プレート２０Ｃ，２０Ｄ，７０に設けられた凹部（図示略）に嵌まるように構成されている。
【００５５】
また、端子台３は、ハウジング６０の各々に設けられる部品として、複数の端子部材３０Ａ，３０Ｂと、複数の付勢部材４０Ａ，４０Ｂと、複数の操作部材５０Ａ，５０Ｂとを備えている。
【００５６】
端子部材３０Ａ，３０Ｂの各々は、端子部材３０と同様の構成を有している。端子部材３０Ａ，３０Ｂには、ハウジング６０内に挿入される複数の電線が１本ずつ接続される。端子部材３０Ａは、第１収納部６０Ａ内に設けられ、端子部材３０Ｂは、第２収納部６０Ｂ内に設けられている。
【００５７】
付勢部材４０Ａ，４０Ｂは、付勢部材４０と同様の構成を有している。付勢部材４０Ａ，４０Ｂは、Ｙ方向において複数の電線を１本ずつ付勢し、複数の電線を異なる端子部材３０Ａ，３０Ｂに押さえ付ける。第１収納部６０Ａ内に設けられた付勢部材４０Ａは、電線を端子部材３０Ａに押さえ付け、第２収納部６０Ｂ内に設けられた付勢部材４０Ｂは、他の電線を端子部材３０Ｂに押さえ付ける。
【００５８】
操作部材５０Ａ，５０Ｂは、操作部材５０と同様の構成を有している。操作部材５０Ａをハウジング６０内に押し込むと、端子部材３０Ａの端子部３１と付勢部材４０Ａの先端部４２との間隔が広がり、操作部材５０Ｂをハウジング６０内に押し込むと、端子部材３０Ｂの端子部３１と付勢部材４０Ｂの先端部４２との間隔が広がる。
【００５９】
ここで、本実施形態においては、図７および図９に示すように、第１収納部６０Ａを構成する幅広部６０ａが、第２収納部６０Ｂを構成する狭窄部６０ｂと隣り合うとともに、第１収納部６０Ａを構成する狭窄部６０ｂが、第２収納部６０Ｂを構成する幅広部６０ａと隣り合うことで、複数の差込口６１Ａ，６１Ｂが、Ｘ方向およびＹ方向において間隔を空けて設けられることに特徴がある。なお、図９は、図７（Ｂ）のＥ−Ｅ線断面図であって、操作部材５０Ａ，５０Ｂの図示を省略するとともに、ハウジング６０、エンドプレート２０Ｃ，２０Ｄ、連結プレート７０、および端子部材３０Ａ，３０Ｂのみを断面で示している。
【００６０】
すなわち、本実施形態においては、端子台３は、第１実施形態に係る第１のハウジング１０Ａと第２のハウジング１０Ｂとを一体化したような形状のハウジング６０を備えており、ハウジング６０内に挿入される複数の電線を端子部材３０Ａ，３０Ｂに接続する。
【００６１】
本実施形態によれば以下の効果を奏する。
（７）差込口６１Ａ，６１ＢがＸ方向およびＹ方向に間隔を空けて設けられるため、差込口１１１がＸ方向のみにおいて間隔を空けて設けられる構成（図１０参照）に比べて、差込口６１Ａ，６１Ｂの径Ｒを小さくすることなく、エンドプレート２０Ｃ，２０Ｄを除いた端子台３の寸法Ｌｘを小さくすることができ、上記（１）と同じ効果を奏する。
【００６２】
（８）付勢部材４０Ａ，４０Ｂの先端部４２の寸法Ｌ２が、付勢部材４０Ａ，４０Ｂの基端部４１の寸法Ｌ１よりも大きい。この構成によれば、先端部４２が電線を端子部材３０Ａ，３０Ｂに確実に押さえ付けることができ、上記（２）と同じ効果を奏する。
【００６３】
本発明は、上記実施形態に限定されるものではなく、上記構成を変更してもよい。
【符号の説明】
【００６４】
１，２，３  端子台
１０Ａ，１０Ｂ  ハウジング
１０ａ  幅広部
１０ｂ  狭窄部
１１  差込口
３０，３０Ａ，３０Ｂ  端子部材
４０，４０Ａ，４０Ｂ  付勢部材
４１  基端部
４２  先端部
６０  ハウジング
６０Ａ  第１収納部
６０Ｂ  第２収納部
６０ａ  幅広部
６０ｂ  狭窄部
６１Ａ，６１Ｂ  差込口
Ｘ  第１直線方向
Ｙ  第２直線方向
Ｚ  第３直線方向
【図１】
2018190676.tif 000003
【図２】
2018190676.tif 000004
【図３】
2018190676.tif 000005
【図４】
2018190676.tif 000006
【図５】
2018190676.tif 000007
【図６】
2018190676.tif 000008
【図７】
2018190676.tif 000009
【図８】
2018190676.tif 000010
【図９】
2018190676.tif 000011
【図１０】
2018190676.tif 000012